(57)【要約】【課題】盗難をより早期に発見し対処することができ、盗難を未然に穏便に防ぐことができ、不要なトラブルへの発展を防ぐこと。【解決手段】商品陳列棚とお買い物籠のどちらにも存在していない状態になったＲＦＩＤタグ付き商品や、前記お買い物籠に入っているはずの商品が、お買い物籠と商品が施設内のゲートを通過するタイミングがずれているような商品を検出し、商品の時刻と場所についての追跡情報と、撮影場所で撮影した時系列の監視映像を組み合わせてその商品に対する監視映像を抽出する。【選択図】図１
2008203974.tif 000002
【特許請求の範囲】
【請求項１】
商品に付けられたＲＦＩＤタグを、商品陳列棚で読み取る手段と、
お買い物籠で読み取る手段と、
施設内の各所に設置されたゲートで読み取る手段と、
前記商品陳列棚と前記お買い物籠のどちらにも存在していない状態になった商品や、前記お買い物籠に入っているはずの商品が、前記お買い物籠と商品が前記ゲートを通過するタイミングがずれているような商品を検出する手段と、
商品の時刻と場所についての追跡情報と、撮影場所で撮影した時系列の監視映像を組み合わせてある特定の商品に対する監視映像を抽出する手段と
を備えることを特徴とする盗難防止システム。
【請求項２】
前記ＲＦＩＤタグはセンサー機能を有し、施設内の各所に設置されたセンサーで探知されることを特徴とする請求項１記載の盗難防止システム。
【請求項３】
商品に付けられたＲＦＩＤタグを、商品陳列棚で読み取るステップと、
お買い物籠で読み取るステップと、
施設内の各所に設置されたゲートで読み取るステップと、
前記商品陳列棚と前記お買い物籠のどちらにも存在していない状態になった商品や、前記お買い物籠に入っているはずの商品が、前記お買い物籠と商品が前記ゲートを通過するタイミングがずれているような商品を検出するステップと、
商品の時刻と場所についての追跡情報と、撮影場所で撮影した時系列の監視映像を組み合わせてある特定の商品に対する監視映像を抽出するステップと
を有することを特徴とする盗難防止方法。
【請求項４】
前記ＲＦＩＤタグはセンサー機能を有し、施設内の各所に設置されたセンサーで探知されることを特徴とする請求項３記載の盗難防止方法。
【請求項５】
コンピュータシステムに請求項１記載の機能を実現させることを特徴とするプログラム。
【請求項６】
コンピュータシステムに請求項２記載の機能を実現させることを特徴とするプログラム。
【発明の詳細な説明】
【技術分野】
【０００１】
本発明は、本発明は、販売施設内等の商品が陳列された空間内において、商品の盗難を防止する技術に関する。
【背景技術】
【０００２】
従来の商品管理は、商品の在庫、仕入数、販売数、清算状態、移動経路、などは管理できたが、販売施設内での商品の状態（商品陳列棚に置かれている状態か、お買い物籠に入れられて購入待ち状態か、いずれでもない不正な状態かなど）については管理する仕組みがなかった。
【０００３】
すなわち、従来の防犯システムでは、購入手続きが完了していない商品が、販売施設出入口に設置されたゲートを通過する際にアラームを鳴らす、という仕組みだが、これだけでは、盗難を計画している人を事前に発見して監視・注意・警告することはできなかった。また、例えばトイレなどの出入口以外からの商品持ち出しには対応できなかった。
【０００４】
盗難する意図はなく、故意ではなく購入手続きを忘れてしまった顧客が出入口のゲートを通過した際にも、その顧客は盗難犯として扱われ、トラブルに発展するケースがあった。また、現状は、鞄やポケットに商品を入れただけでは、購入するつもりだったと主張された場合に、盗難を立証することができない。
【０００５】
実際に盗難が発覚した際には、いつ犯行がおこなわれたか、どこでどのように犯行がおこなわれたかを、膨大な防犯カメラの映像からチェックしなければならなかったため、盗難された商品に対して多大な時間と労力を費やすことになり、現実的には現行犯でしか犯人を捕らえられないことが多かった。
【０００６】
ここで、無線通信装置が、商品棚に陳列された商品と、レジで代金精算を行う商品と、店舗の出口から持ち出される商品との各々の商品に対して、商品に付されたＩＤ情報を非接触により読み取り可能な場所に各々設置され、情報処理装置には、各無線通信装置からＩＤ情報を受信する手段と、ＩＤ情報を受信した際に、ＩＤ情報と、ＩＤ情報を送信した無線通信装置の設置場所を特定することが可能な設置場所情報とを関連付けて商品情報データベースに登録する登録手段と、店舗の出口の読取装置からＩＤ情報を受信した際に、商品情報データベースに該ＩＤ情報がレジに設置されている無線通信装置から既に受信されているか否かを判定する判定手段とを備えることで、各店舗毎で販売される商品に対する万引き行為のチェックを行うことができる技術が提案されている（例えば、特許文献１参照）。
【特許文献１】特開２００４−２４０７６７号公報
【発明の開示】
【発明が解決しようとする課題】
【０００７】
しかしながら、商品の追跡情報（移動経路）の採取はおこなわれていたが、それを監視映像と組み合わせることはおこなわれていなかった。
【０００８】
本発明は、以上説明した問題点を解決するためになされたものである。その目的は、盗難をより早期に発見し対処することができ、盗難を未然に穏便に防ぐことができ、不要なトラブルへの発展を防ぐことである。
【０００９】
盗難が発生してしまった場合にも、盗難品は店舗内で追跡されているため、盗難防止サーバが商品の経路情報と防犯カメラの映像を抽出し、迅速に犯人特定、犯行時刻、犯行場所、犯行手口等を調査し今後の盗難防止が可能になる。
【００１０】
今まで多くの盗難事件は現行犯でしか犯人を逮捕できなかったが、このシステムが導入されることで、現行犯にならなかった盗難犯を容易に迅速に特定することができるようになり、軽い気持ちで盗難をおこなっていた犯人に対する抑止力となることが期待される。
【課題を解決するための手段】
【００１１】
本発明は、商品に付けられたＲＦＩＤタグを、商品陳列棚で読み取る手段と、
お買い物籠で読み取る手段と、
施設内の各所に設置されたゲートで読み取る手段と、
前記商品陳列棚と前記お買い物籠のどちらにも存在していない状態になった商品や、前記お買い物籠に入っているはずの商品が、前記お買い物籠と商品が前記ゲートを通過するタイミングがずれているような商品を検出する手段と、
商品の時刻と場所についての追跡情報と、撮影場所で撮影した時系列の監視映像を組み合わせてある特定の商品に対する監視映像を抽出する手段と
を備える盗難防止システムを提供する。
【００１２】
また、本発明は、商品に付けられたＲＦＩＤタグを、商品陳列棚で読み取るステップと、
お買い物籠で読み取るステップと、
施設内の各所に設置されたゲートで読み取るステップと、
前記商品陳列棚と前記お買い物籠のどちらにも存在していない状態になった商品や、前記お買い物籠に入っているはずの商品が、前記お買い物籠と商品が前記ゲートを通過するタイミングがずれているような商品を検出するステップと、
商品の時刻と場所についての追跡情報と、撮影場所で撮影した時系列の監視映像を組み合わせてある特定の商品に対する監視映像を抽出するステップと
を有する盗難防止方法を提供する。
【発明の効果】
【００１３】
本発明によれば、盗難をより早期に発見し対処することができ、盗難を未然に穏便に防ぐことができ、不要なトラブルへの発展を防ぐことができる。
【発明を実施するための最良の形態】
【００１４】
以下、本発明の第１の実施の形態について図面を参照して詳細に説明する。コンビニやスーパーマーケットなどの販売施設内における、追跡情報と監視映像の組み合わせを利用した盗難防止システムである。
【００１５】
図１を参照すると、本実施の形態における盗難防止システムは、商品１０と、商品管理サーバ２０と、商品陳列棚３０と、無線通信機器４０と、お買い物籠５０と、ゲート６０と、盗難防止サーバ７０と、店員用通知画面８０と、防犯カメラ９０と、決済装置１００から構成されている。これらの商品管理サーバ２０、商品陳列棚３０、無線通信機器４０、ゲート６０、盗難防止サーバ７０、店員用通知画面８０、防犯カメラ９０、決済装置１００は店舗ネットワーク２００介して相互に接続されている。お買い物籠５０は、無線通信機器４０と無線ネットワーク３００を介して、店舗ネットワーク２００と接続されている。
【００１６】
商品１０は、ＲＦＩＤタグが付けられており、お買い物籠５０と、ゲート６０のＲＦＩＤリーダによって情報を読み取られる。レジでの決済時には、決済装置１００が商品１０のＲＦＩＤタグに購入済の情報を書き込む。
【００１７】
商品管理サーバ２０は、販売施設内に存在する商品のリストを管理するデータベースであり、購入済の商品１０は区別して管理し、主に在庫管理をおこなう機能を有する。また、Ｗｅｂサーバ、アプリケーションサーバ等の機能も一般的に有する。
【００１８】
商品陳列棚３０は、ＲＦＩＤタグリーダ機能を有しており、商品陳列棚３０内に存在する商品１０のＲＦＩＤタグを定期的に読み取り、商品管理サーバ２０や盗難防止サーバ７０へ、店舗ネットワーク２００を介して商品１０の情報を送信する。
【００１９】
無線通信機器４０は、店舗ネットワーク２００とお買い物籠５０に付けられ、お買い物籠５０が無線ネットワーク３００と店舗ネットワーク２００を介して、盗難防止サーバ７０と相互に接続されるために利用される。
【００２０】
お買い物籠５０は、ＲＦＩＤタグリーダ機能を有しており、籠の淵に設置されたＲＦＩＤタグリーダ機器に買い物客が商品１０を近づけることで、商品１０のＲＦＩＤタグを読み取り、同機器の表示パネルに読み取った商品情報（合計金額、商品リスト、単価など）を表示する。お買い物籠３０から商品１０を取り出す場合には、入れる際と同様に、買い物客がＲＦＩＤタグリーダ機器に商品１０を近づけることで登録を削除する。お買い物籠５０は、定期的に登録された商品情報を盗難防止サーバ７０へ、無線ネットワーク３００と店舗ネットワーク２００を介して送信する。お買い物籠５０に登録された商品１０の情報は、決済機器１００で決済した場合と、利用されていない場合に保管される場所を用意しておき、そこにおかれた場合に、消去されるものとする。
【００２１】
ゲート６０は、ＲＦＩＤタグリーダ機能を有しており、通過したお買い物籠５０と商品１０に付けられたＲＦＩＤタグを読み取り、その情報を店舗ネットワーク２００を介して盗難防止サーバ７０へ送信する。出入口のゲート６０は、通過した商品１０に付いているＲＦＩＤタグに、購入済の情報が書き込まれていなければ、アラームを鳴らす。
【００２２】
盗難防止サーバ７０は、Ｗｅｂサーバ、アプリケーションサーバ、データベース等によって構成される。商品陳列棚３０から定期的に送られてくる商品情報から差分を管理し、商品陳列棚３０に存在する商品１０と取り出された商品１０と置かれた商品１０を認識する。お買い物籠５０から定期的に送られてくる商品情報から差分を管理し、お買い物籠５０に存在する商品１０と取り出された商品１０と入れられた商品１０を認識する。さらに、商品管理サーバ２０から購入済の商品１０の情報を取得する。これらの情報を基に、購入済ではなく、商品陳列棚３０にもお買い物籠５０にも存在しない商品１０を特定する。
【００２３】
盗難防止サーバ７０は、ゲート６０から通過したお買い物籠５０と商品１０の情報を受信し、受信時刻と送信元ゲート６０の位置情報と共に保存する。必要に応じて、これらの情報からお買い物籠５０と商品１０の時系列情報を合わせた移動経路を生成する機能を有する。
【００２４】
盗難防止サーバ７０は、防犯カメラ９０から定期的（５分〜１０分程度を目安）に受信する映像データを、受信時刻と送信元防犯カメラ９０の位置情報と共に保存する。移動経路を生成する際には、移動経路とその時刻に応じて保存した映像データを抽出し、移動経路情報と関連付ける。
【００２５】
盗難防止サーバ７０は、購入済ではない商品１０を対象に管理する。商品陳列棚３０にもお買い物籠５０にも存在しない商品１０が、ある一定時間（５分〜１０分程度を目安）その状態が維持された場合、その商品１０を盗難される可能性品として認識する。さらに、お買い物籠５０に入っているはずの商品１０が、ゲート６０を通過する際に、対応するお買い物籠５０とその商品１０のゲート６０を通過する時刻が（５秒以上を目安）ずれている場合にも、その商品１０を盗難される可能製品として認識する。そして、追跡可能にする移動経路や防犯カメラの映像を、店員用通知画面８０に、店舗ネットワーク２００を介して送信する。
【００２６】
盗難防止サーバ７０は、盗難される可能製品と認識している商品１０の情報が、商品陳列棚３０から送られてきた場合に、数回（例えば３０秒間隔で３回程度）それらの情報を同じ商品陳列棚３０から受信したら、陳列されている商品として扱い、お買い物籠５０に対しても無線ネットワーク３００を利用して誤った情報を修正する。また、ゲート６０を通過する時刻が対象のお買い物籠５０とずれていた商品１０が、ずれなくなった場合は、盗難される可能製品ではないと認識を変更する。
【００２７】
店員用通知画面８０は、店舗ネットワーク２００を介して、盗難防止サーバ７０から盗難の可能性が高い商品１０の情報を受信し、表示する機能と、店員が操作して取得した情報を盗難防止サーバ７０へ要求する機能を有する。
【００２８】
防犯カメラ９０は、店舗ネットワーク２００を利用して、盗難防止サーバ７０へ（５分〜１０分間隔を目安として）映像データを送信する機能を有する。
【００２９】
決済装置１００は、ＲＦＩＤタグリーダ機能を有しており、お買い物籠５０とその中に入れられた商品１０のＲＦＩＤタグを読み取り、矛盾がないかをチェックする。矛盾があれば、購入するものなのか否かを店員が顧客に確認する。矛盾がなければ購入処理をおこない、商品１０のＲＦＩＤタグに購入済の情報を書き込み、商品管理サーバ２０に購入済となったことを登録する。
【００３０】
次に、図１、２、３を用いて本実施の形態の動作について詳細に説明する。なお、以降の説明では、販売施設内を大型スーパーマーケットと想定する。
【００３１】
図２を参照して、典型的な実行例を説明する。お買い物籠５０を所持した顧客は、商品陳列棚３０から商品１０を取り出す。図２によると、商品陳列棚３０から商品１０を取り出す（ステップＡ１）と、商品陳列棚３０が定期的に盗難防止サーバ７０へ商品１０の情報を送信しており（ステップＡ２）、盗難防止サーバはその差分によって該商品１０が取り出されたことを検出する（ステップＡ３）。
【００３２】
次に、顧客が、手に取った商品１０をお買い物籠５０のＲＦＩＤタグリーダへ当て、籠の中へ入れる（ステップＡ４）と、お買い物籠５０は定期的に盗難防止サーバ７０へ読み取った商品１０の情報を送信する（ステップＡ５）。
【００３３】
盗難防止サーバ７０は、商品１０がお買い物籠５０に入れられたことを認識する（ステップＡ６）。
【００３４】
ステップＡ４〜Ａ６がおこなわれなかった場合、即ち買い物客が、商品１０を商品陳列棚３０から取り出し、お買い物籠５０のＲＦＩＤタグリーダに当て忘れた場合や、鞄やポケットに商品１０を隠した場合、図２によると、ステップＡ６で数分間、商品陳列棚３０か商品陳列籠５０に存在している情報を確認できなければ、商品１０の経路情報を作成（ステップＡ７）し、店員用通知画面８０に表示（ステップＡ８）する。
【００３５】
次に図３によると、ステップＢ１〜Ｂ６までは、図２と同様におこなわれた後、商品１０がゲート６０を通過し（ステップＢ７）、ゲート６０が商品１０が通過した情報を盗難防止サーバ７０へ送信（ステップＢ８）したが、その前後５秒間に、対応するお買い物籠５０が通過しない場合（ステップＢ９）、商品１０の経路情報を作成（ステップＢ１０）し、店員用通知画面８０に表示（ステップＢ１１）する。
【００３６】
次に、商品１０の経路情報を作成する例を、図４の表および図５で説明する。図４および図５によると、ゲートデータ管理テーブルには、ゲート６０から盗難防止サーバ７０へ送信されてくるデータのうち、ゲート６０のＩＤと、通過したお買い物籠５０または商品１０のＲＦＩＤタグの識別子と、送信時刻が管理されており、まずは検索したいお買い物籠５０もしくは商品１０のＲＦＩＤタグの識別子を検索キーとして、該当する行を抽出する（ステップＣ１）。さらに送信時刻でソートし、ゲートＩＤの順序と時刻を保存する（ステップＣ２）。
【００３７】
次に、ゲートテーブルから、ゲートＩＤを検索キーにして次に移動する通路ＩＤを取得し、既に並べてあるゲートＩＤと時刻の間に通路ＩＤと時刻（ゲートＩＤ間の時刻の間になる）を並べる（ステップＣ３）。図には記載していないが、ゲートＩＤ間の時刻が長い場合は、例えば５分間隔で時刻を区切り、通路ＩＤ複数の同じ通路ＩＤがゲートＩＤ間に入る可能性がある。
【００３８】
さらに、防犯カメラテーブルからゲートＩＤまたは通路ＩＤを検索キーとして、その場所を撮影している防犯カメラＩＤを取得し、映像データ管理テーブルから、防犯カメラＩＤと時刻を検索キーにして、映像ファイルへのポインタ（例えばＵＲＬなど）を取得し、経路情報に関連付ける。このデータを基に、店員用通知画面８０へ経路を表示し、店員が映像データを必要とした場合には、店員用通知画面８０から盗難防止サーバ７０に（例えばＨＴＴＰで）映像データを取得し、店員用通知画面８０に表示する。
【００３９】
本実施の形態によれば、状態管理により、商品が商品陳列棚にあるか、お買い物籠にあるか、そのどちらでも無い状態かを検知することと、商品を販売施設内のゲートで追跡することが可能になる。特に、どちらでも無い状態になった商品や、お買い物籠に入っているはずの商品が、お買い物籠と商品がゲートを通過するタイミングがずれているような商品が発生した場合は、店員に通知することで、店員から顧客に対して商品をお買い物籠に入れるよう促し、盗難を未然かつ穏便に防止することを可能にする。
【００４０】
また、実際に盗難が発生した場合には、追跡情報と監視カメラの映像の組み合わせを利用することで、今まで膨大な時間を費やしていた防犯カメラ等の映像検索を即座におこなうことを可能にする。販売施設内に設置されたゲートからの商品移動経路情報とその時刻から、防犯カメラの該当する映像を特定し、迅速な犯人特定、犯行時刻、犯行場所、犯行手口等の調査をおこなえ、現行犯でなくても犯人を容易に特定することができる。
【００４１】
なお、盗難可能性品とされた商品１０の追跡を、ゲート６０ではなく、センサー１１０によっておこなうことが可能である。
【００４２】
商品１０にはＲＦＩＤタグを付けるだけでなくセンサー機能を持たせ、ゲート６０による商品１０の追跡ではなく、図６のセンサー１１０による商品１０の追跡をおこなうことができる。このセンサー１１０を利用することにより、ゲート６０を利用していたときよりも、より細かく商品１０の追跡をおこなうことが可能になる。
【００４３】
具体的には、センサー１１０を販売施設内の天井などに設置し、自身の販売施設内における設置位置を記憶させる。商品陳列棚３０からＲＦＩＤタグの読み取りを受けなくなった商品１０を、距離センサーと方向センサーを利用し、センサー１１０の位置と比較することで、商品１０がどこに存在しているかを盗難防止サーバへ通知する。商品１０に付けられるセンサーは、ＲＦＩＤ機能と連携させ、商品１０が商品陳列棚３０からのＲＦＩＤタグの読み取りを一定時間受けなかった場合に、センサー機能を起動させ、センサー１１０との通信を定期的におこなう。逆に、商品１０が商品陳列棚３０からのＲＦＩＤタグ読み取りを受けた場合には、センサー機能を停止する。センサー機能が動作し、お買い物籠７０からの商品情報が一定時間受信できない場合は、盗難の可能性品として店員用通知画面８０に表示する。
【００４４】
なお、上述する実施の形態は、本発明の好適な実施の形態であり、本発明の要旨を逸脱しない範囲内において種々変更実施が可能である。例えば、商品管理サーバ２０、無線通信機器４０、盗難防止サーバ７０、決済装置１００等の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００４５】
本発明は、スーパーマーケット、コンビニエンスストア、書店、図書館、レンタルビデオ店、デパート等の大型販売店等で適用可能である。
【図面の簡単な説明】
【００４６】
【図１】本発明の実施の形態のシステム構成を示す構成図である。
【図２】本発明の実施の形態の処理動作を示す図である。
【図３】本発明の実施の形態の処理動作を示す図である。
【図４】本発明の実施の形態の盗難防止サーバのデータを示す図である。
【図５】本発明の実施の形態の処理動作を示す図である。
【図６】本発明の他の実施の形態の概要を示す図である。
【符号の説明】
【００４７】
１０    商品
２０    商品管理サーバ
３０    商品陳列棚
４０    無線通信機器
５０    お買い物籠
６０    ゲート
７０    盗難防止サーバ
８０    店員用通知画面
９０    防犯カメラ
１００    決済装置
２００    店舗ネットワーク
３００    無線ネットワーク
【図１】
2008203974.tif 000003
【図２】
2008203974.tif 000004
【図３】
2008203974.tif 000005
【図４】
2008203974.tif 000006
【図５】
2008203974.tif 000007
【図６】
2008203974.tif 000008